(57)【要約】      （修正有）【課題】電源供給手段の数を少なくして、設備投資費や収納スペースの削減することのできる植物栽培装置を提供する。【解決手段】各照明手段３Ａ，３Ｂ，３Ｃは、ＰＷＭ制御を行った駆動電圧Ｖ１，Ｖ２，Ｖ３によって駆動するが、それらの照明手段３Ａ，…と電源供給手段４Ａとの間にはスイッチング手段９Ａを設けておいて１台の電源供給手段４Ａにより複数の照明手段３Ａ，…を駆動できるようにする。【選択図】図２
2017148010.tif 000002
【特許請求の範囲】
【請求項１】
植物を定植する培地が載置されるように構成された定植パネルと、
該定植パネルに定植される植物に光を照射する複数の照明手段と、
該複数の照明手段が並列接続されると共に該複数の照明手段に駆動電圧を供給するように構成された１台の第１電源供給手段と、
各植物の明期及び／又は暗期を加味した照明条件を該各植物の品種に関連付けて記憶する照明条件記憶手段と、
各照明手段が光を照射している、或いは、光を照射しようとしている植物の品種についての情報を入力するための品種情報入力手段と、
該品種情報入力手段からの情報に基づき、各植物に関する照明条件を前記照明条件記憶手段から抽出する照明条件抽出手段と、
前記複数の照明手段と前記第１電源供給手段との間に介装されると共に、前記照明条件抽出手段により抽出した照明条件に従ったパルス幅を持つ駆動電圧を前記複数の照明手段に順番に供給するように構成された第１スイッチング手段と、
を備えたことを特徴とする植物栽培装置。
【請求項２】
前記複数の照明手段の全て又は一部の照明手段が並列接続されると共に該並列接続された照明手段に駆動電圧を供給するように構成された１台の第２電源供給手段と、
該照明手段と該第２電源供給手段との間に介装されると共に、前記照明条件抽出手段により抽出した照明条件に従ったパルス幅を持つ駆動電圧を前記照明手段に順番に供給するように構成された第２スイッチング手段と、
前記照明条件抽出手段から取得した各植物に関する照明条件に基づき、前記第１電源供給手段及び前記第２電源供給手段の稼働率が高くなるように、前記第１スイッチング手段を介して供給される駆動電圧と前記第２スイッチング手段を介して供給される駆動電圧のいずれの駆動電圧をどのような順番で前記各照明手段に供給するかを制御するスイッチング制御手段と、
を備えたことを特徴とする請求項１に記載の植物栽培装置。  
【請求項３】
前記照明条件記憶手段が記憶する照明条件は、前記照明手段に印加される駆動電圧のパルス幅に関する情報であって植物の明期の長さに略等しく設定されたパルス幅に関する情報である、
ことを特徴とする請求項１又は２に記載の植物栽培装置。
【発明の詳細な説明】
【技術分野】
【０００１】
本発明は、定植パネルや照明手段を備えた植物栽培装置に関する。
【背景技術】
【０００２】
従来、定植パネルや照明手段を備えた植物栽培装置については種々の構造のものが提案されている（例えば、特許文献１参照）。
【０００３】
図３は、植物栽培装置の従来構成の一例を示す正面図であり、図中の符号１０２は、植物Ｐを定植する培地が載置されてなる定植パネルを示し、符号１０５は、そのような定植パネル１０２を複数収納するように構成された栽培棚を示し、符号１０３Ａ，１０３Ｂは、前記植物Ｐに光を照射する照明手段を示している。
【０００４】
ところで、一般的には常時点灯方式の照明方法が植物栽培装置に利用されているが、光合成特性を利用したパルス照明を用いた植物栽培装置が用いられる場合もある。図４に例示するように、パルス照明を使った植物栽培装置の各照明手段２０３Ａ，２０３Ｂ，２０３Ｃにはそれぞれ電源ユニット（電源供給手段）２０４Ａ，２０４Ｂ，２０４Ｃが１つずつ接続されていて、各電源ユニット２０４Ａ，…から駆動電圧（ＰＷＭ制御された駆動電圧）Ｖａ，Ｖｂ，Ｖｃが送られて各照明手段２０３Ａ，…が駆動されるように構成されていた。
【先行技術文献】
【特許文献】
【０００５】
【特許文献１】特開２０１３−１５３６９１号公報
【発明の概要】
【発明が解決しようとする課題】
【０００６】
しかしながら、従来のパルス照明を用いた植物栽培装置においては、各照明手段２０３Ａ，２０３Ｂ，２０３Ｃにはそれぞれ電源ユニット２０４Ａ，２０４Ｂ，２０４Ｃが１つずつ接続されていたため、栽培棚１０２等には多数の電源ユニット２０４Ａ，…を配置しなければならず、その分、コストが高くなると共に、収納のためのスペースを確保しなければならないという問題があった。また、電源ユニットの数が多いと、その分、ノイズ対策も大変になるという問題もあった。
【０００７】
本発明は、上述の問題を解消することのできる植物栽培装置を提供することを目的とするものである。
【課題を解決するための手段】
【０００８】
本発明の第１の観点は、図１に例示するものであって、植物（Ｐ１，…，Ｐ２，…，Ｐ３，…）を定植する培地（不図示）が載置されるように構成された定植パネル（２）と、
該定植パネル（２）に定植される植物（Ｐ１，…）に光を照射する複数の照明手段（３Ａ，３Ｂ，３Ｃ）と、
該複数の照明手段（３Ａ，…）が並列接続されると共に該複数の照明手段（３Ａ，…）に駆動電圧（図２の符号Ｖ１２３参照）を供給するように構成された１台の第１電源供給手段（４Ａ）と、
各植物（Ｐ１，…）の明期及び／又は暗期を加味した照明条件を該各植物（Ｐ１，…）の品種に関連付けて記憶する照明条件記憶手段（６）と、
各照明手段（３Ａ，…）が光を照射している、或いは、光を照射しようとしている植物（Ｐ１，…）の品種についての情報を入力するための品種情報入力手段（７）と、
該品種情報入力手段（７）からの情報に基づき、各植物（Ｐ１，…）に関する照明条件を前記照明条件記憶手段（６）から抽出する照明条件抽出手段（８）と、
前記複数の照明手段（３Ａ，…）と前記第１電源供給手段（４Ａ）との間に介装されると共に、前記照明条件抽出手段（８）により抽出した照明条件に従ったパルス幅（図２の符号ΔＴ１，ΔＴ２，ΔＴ３参照）を持つ駆動電圧（同図の符号Ｖ１，Ｖ２，Ｖ３参照）を前記複数の照明手段（３Ａ，…）に順番に供給するように構成された第１スイッチング手段（９Ａ）と、を備えた植物栽培装置（１）に関する。
【０００９】
本発明の第２の観点は、前記複数の照明手段（３Ａ，…）の全て又は一部の照明手段（３Ａ，…）が並列接続されると共に該並列接続された照明手段（３Ａ，…）に駆動電圧（Ｖ１２３）を供給するように構成された１台の第２電源供給手段（４Ｂ）と、
該照明手段（３Ａ，…）と該第２電源供給手段（４Ｂ）との間に介装されると共に、前記照明条件抽出手段（８）により抽出した照明条件に従ったパルス幅（ΔＴ１，ΔＴ２，ΔＴ３）を持つ駆動電圧（Ｖ１，Ｖ２，Ｖ３）を前記照明手段（３Ａ，…）に順番に供給するように構成された第２スイッチング手段（９Ｂ）と、
前記照明条件抽出手段（８）から取得した各植物（Ｐ１，…）に関する照明条件に基づき、前記第１電源供給手段（４Ａ）及び前記第２電源供給手段（４Ｂ）の稼働率が高くなるように、前記第１スイッチング手段（９Ａ）を介して供給される駆動電圧（Ｖ１，Ｖ２，Ｖ３）と前記第２スイッチング手段（９Ｂ）を介して供給される駆動電圧（Ｖ１，Ｖ２，Ｖ３）のいずれの駆動電圧をどのような順番で前記各照明手段（３Ａ，…）に供給するかを制御するスイッチング制御手段（１０）と、を備えたことを特徴とする。
【００１０】
本発明の第３の観点は、前記照明条件記憶手段（６）が記憶する照明条件が、前記照明手段（３Ａ，…）に印加される駆動電圧（Ｖ１，Ｖ２，Ｖ３）のパルス幅（ΔＴ１，ΔＴ２，ΔＴ３）に関する情報であって植物（Ｐ１，…）の明期の長さに略等しく設定されたパルス幅（ΔＴ１，ΔＴ２，ΔＴ３）に関する情報であることを特徴とする。
【００１１】
なお、括弧内の番号などは、図面における対応する要素を示す便宜的なものであり、従って、本記述は図面上の記載に限定拘束されるものではない。
【発明の効果】
【００１２】
上記した第１乃至３の観点によれば、複数の照明手段を１台の電源供給手段により駆動するように構成されているので、各照明手段に電源供給手段を１台ずつ接続する場合に比べて電源供給手段の個数を減らすことができ、その分、コスト（設備投資費）の削減を図ることができ、ＡＣ−ＤＣ変換部のロス分を1台にまとめることによる変換ロス分の消費電力を節減できるとともに、該電源供給手段を収納するためのスペースを削減することが可能となる。さらに、電源供給手段の個数を減らすことができるため、ノイズ対策も簡素化することができる。またさらに、植物の明期に光を照射しているので、光合成を促進できると共に、省エネにもなる。
【図面の簡単な説明】
【００１３】
【図１】図１は、本願発明に係る植物栽培装置の構成の一例を示すブロック図である。
【図２】図２は、各照明手段に印加される駆動電圧を説明するための波形図である。
【図３】図３は、植物栽培装置の従来構成の一例を示す正面図である。
【図４】図４は、従来の問題点を説明するための図である。
【図５】図５は、各照明手段に印加される駆動電圧の一例を説明するための波形図である。
【図６】図６は、各照明手段に印加される駆動電圧の他の例を説明するための波形図である。
【図７】図７は、各照明手段に印加される駆動電圧の他の例を説明するための波形図である。
【図８】図８は、各照明手段に印加される駆動電圧の他の例を説明するための波形図である。
【発明を実施するための形態】
【００１４】
以下、図１及び図２に沿って、本発明の実施の形態について説明する。
【００１５】
植物自体は明期と暗期というものを持っていて、光合成の速度を増加させるためには、連続的な光照射を行うよりも、
・  植物に光を当てる明期と、
・  植物に光を当てない暗期と、
を交互に設けた方が良いことが知られている。なお、植物や他の生物には、“光周性”と呼ばれる現象（つまり、昼の長さと夜の長さの変化に応じて生物が示す現象）があって、８時間とか１０時間とかの昼の長さを“明期”と称すると共に、１日において明期でない期間（つまり、夜の長さ）を“暗期”と称しているが、本明細書における“明期”や“暗期”は、そのような光周性に関するものではない。本明細書においては、光合成の速度を増加させるのに有効な光の照射期間であってμｓｅｃのオーダーの期間を“明期”と称することとし、光合成の速度を増加させるのに有効な無照射期間（光を照射しない期間）であってμｓｅｃのオーダーの期間を“暗期”と称することとする。また、１つの明期と１つの暗期とを含む期間を“明暗周期”と称することとする。
【００１６】
本発明に係る植物栽培装置は、図１に符号１で例示するものであって、
・  植物Ｐ１，…，Ｐ２，…，Ｐ３，…を定植する１つ又は複数の培地（不図示）が載置されるように構成された定植パネル２と、
・  該定植パネル２に定植される植物Ｐ１，…に光を照射する複数の照明手段３Ａ，３Ｂ，３Ｃと、
・  該複数の照明手段３Ａ，…が並列接続されると共に該複数の照明手段３Ａ，…に駆動電圧（図２の符号Ｖ１２３参照）を供給するように構成された１台の第１電源供給手段（直流電源ユニット）４Ａと、
を備えている。
【００１７】
ところで、明暗周期（つまり、明期と暗期の和）は一律ではなく品種によって多少は異なるが、前記照明手段３Ａ，…により光を照射する植物Ｐ１，…には明暗周期が大体同じ品種を選択している。
【００１８】
なお、前記複数の照明手段３Ａ，…は、異なる場所に定植される植物Ｐ１，…に光を照射できるよう、互いに離間した位置に配置されている。また、該照明手段３Ａ，…としては、ＰＷＭ調光方式を使用できる光源が好ましく、例えば、ＬＥＤ光源が好ましい。
【００１９】
一方、図１における前記定植パネル２は栽培棚５に多段に複数収容されているが、該定植パネル２を１枚だけ配置した構造のもの（つまり、１枚の大きな定植パネル２の上方に、該定植パネル２に沿うように前記照明手段３Ａ，…が複数配置されているような構造のもの）を本発明の範囲から除外するものではない。
【００２０】
ところで、上述した明期の幅は数百μｓｅｃ程度であるが、品種によって違いがあって同じでは無い。例えば、Ａ品種が２００μｓｅｃで、Ｂ品種が３００μｓｅｃで、Ｃ品種が２５０μｓｅｃ…というような違いがある。そこで、本発明に係る植物栽培装置１には照明条件記憶手段６を設けておいて、様々な品種の植物（少なくとも、前記定植パネル２に定植する可能性のある品種の各植物）の明期及び／又は暗期を加味した照明条件を該各植物の品種に関連付けて記憶させておくと良い。ここで、“明期及び／又は暗期を加味した照明条件”とは、
・  明期の長さ［μｓｅｃ］
・  暗期の長さ［μｓｅｃ］
・  デューティー比（つまり、明期の長さ÷明暗周期）
・  暗期の長さ÷明暗周期
を意味するものである。なお、前記照明条件記憶手段６としては、ハードディスクドライブやＵＳＢメモリやＳＤカードなどを挙げることができる。また、該照明条件記憶手段６が記憶する照明条件としては、前記照明手段３Ａ，…に印加される駆動電圧Ｖ１，Ｖ２，Ｖ３のパルス幅ΔＴ１，ΔＴ２，ΔＴ３に関する情報であって植物Ｐ１，…の明期の長さに略等しく設定されたパルス幅ΔＴ１，ΔＴ２，ΔＴ３に関する情報を挙げることができる。また、植物栽培装置に通信手段を設け、外部から通信によりパルス幅をリモートにて設定できるようにしてもよい。
【００２１】
一方、本発明に係る植物栽培装置１は、
・  各照明手段３Ａ，…が光を照射している、或いは、光を照射しようとしている植物Ｐ１，…の品種についての情報（例えば、第１照明手段３Ａが光を照射しようとしている植物がグリーンウェーブであり、第２照明手段３Ｂが光を照射しようとしている植物が水菜であり、…というような情報）を入力するための品種情報入力手段７と、
・  該品種情報入力手段７からの情報に基づき、各植物Ｐ１，…（つまり、前記各照明手段３Ａ，…が光を照射しているか照射しようとしているグリーンウェーブや水菜等の植物）に関する照明条件を前記照明条件記憶手段６から抽出する照明条件抽出手段８と、
を備えている。
【００２２】
そして、本発明に係る植物栽培装置１は、前記複数の照明手段３Ａ，…と前記第１電源供給手段４Ａとの間に介装させた第１スイッチング手段９Ａを備えており、該スイッチング手段９Ａは、前記照明条件抽出手段８により抽出した照明条件に従ったパルス幅ΔＴ１，ΔＴ２，ΔＴ３を持つ駆動電圧Ｖ１，Ｖ２，Ｖ３を前記複数の照明手段３Ａ，…に順番に（つまり、重複させることなく）供給するように構成されている。つまり、前記電源供給手段４Ａから前記スイッチング手段９Ａへは電源電圧Ｖ１２３が連続的に供給されているが、該スイッチング手段９Ａから前記各照明手段３Ａ，…にはパルス状の駆動電圧Ｖ１，Ｖ２，Ｖ３が選択的に供給されることとなる。例えば、
・  時刻ｔ１から時刻ｔ２までの時間ΔＴ１には該スイッチング手段９Ａから第１照明手段３Ａにパルス幅がΔＴ１の第１駆動電圧Ｖ１が供給され、
・  時刻ｔ２から時刻ｔ３までの時間ΔＴ２には該スイッチング手段９Ａから第２照明手段３Ｂにパルス幅がΔＴ２の第２駆動電圧Ｖ２が供給され、
・  時刻ｔ３から時刻ｔ４までの時間ΔＴ３には該スイッチング手段９Ａから第３照明手段３Ｃにパルス幅がΔＴ３の第３駆動電圧Ｖ３が供給される、
ようにすると良い。なお、前記電源供給手段４Ａからの電源電圧Ｖ１２３は２つ以上の照明手段に同時に電圧を供給することはできず、いずれか１つの照明手段３Ａ，…にだけしか電圧を供給できないので、前記第１駆動電圧Ｖ１が出力される時間ΔＴ１と、前記第２駆動電圧Ｖ２が出力される時間ΔＴ２と、前記第３駆動電圧Ｖ３が出力される時間ΔＴ３とが互いに重複しないような電源供給を行うと良い。また、図２に示す例では、前記第１駆動電圧Ｖ１の出力が終わると同時に時刻ｔ２のタイミングで前記第２駆動電圧Ｖ２が出力され、該第２駆動電圧Ｖ２の出力が終わると同時に時刻ｔ３のタイミングで前記第３駆動電圧Ｖ３が出力されているが、一の駆動電圧の出力が終わるタイミングと次の駆動電圧の出力が開始されるタイミングとの間にタイムラグ（つまり、駆動電圧を供給しない休止期間）を設けるようにしても良い。さらに、図２に示す例では、前記第１乃至第３照明手段３Ａ，…が異なる品種の植物Ｐ１，…に光を照射する態様（つまり、供給される駆動電圧のパルス幅が異なる態様）を示しているが、もちろんこれに限られるものではなく、それらのパルス幅を同一幅として同じ品種の植物に光を照射するようにしても良い。
【００２３】
なお、各照明手段が光を照射している（或いは、光を照射しようとしている）植物の明暗周期をオペレータが入力するための明暗周期入力手段（具体的には、スイッチやボタンやキーボードやマウスなど）、を設けておいて、オペレータが該明暗周期入力手段により入力した情報（例えば、４００μｓｅｃという明暗周期の情報）が前記スイッチング手段９Ａに入力されるようにしても良い。
【００２４】
本発明によれば、複数の照明手段３Ａ，…を１台の電源供給手段４Ａにより駆動するように構成されているので、各照明手段に電源供給手段を１台ずつ接続する場合に比べて電源供給手段の個数を減らすことができ、その分、コスト（設備投資費）の削減を図ることができ、また、該電源供給手段を収納するためのスペースを削減することが可能となる。さらに、電源供給手段の個数を減らすことができるため、ノイズ対策も簡素化することができる。またさらに、植物の明期に光を照射しているので、光合成を促進できると共に、省エネにもなる。
【００２５】
なお、図２に示す例によれば、時刻ｔ１，ｔ２，ｔ３でそれぞれの植物（つまり、照明手段３Ａが対向する植物や、照明手段３Ｂが対向する植物や、照明手段３Ｃが対向する植物）に順次光が照射されることとなるが、光照射されるタイミングで植物内のイオン電流量が増加して光合成が促進されることとなるので、各植物に光が照射するタイミングはどのタイミングであっても良い。
【００２６】
ところで、各照明手段への駆動電圧の供給が可能な時間（例えば、図２中の時刻ｔ１から時刻ｔ４までの時間であって、“駆動可能時間”とする）内に全ての照明手段３Ａ，…（つまり、１つの電源供給手段４Ａが駆動を担当する照明手段３Ａ，…の全て）に駆動電圧を供給するには、各駆動電圧Ｖ１，Ｖ２，Ｖ３のパルス幅ΔＴ１，ΔＴ２，ΔＴ３の総和がその駆動可能時間に収まらなければならない。一方、電源供給手段４Ａの稼働効率という点から考えると、前記休止期間（つまり、該電源供給手段４Ａがいずれの照明手段にも駆動電圧を供給しない期間）は短ければ短いほど良い。それらの要求を満たすためには、前記第１電源供給手段４Ａとは別に第２電源供給手段（直流電源ユニット）４Ｂを設けると共に、前記第１スイッチング手段９Ａとは別に第２スイッチング手段９Ｂを設けて以下のように構成しておくと良い。
【００２７】
すなわち、前記第１電源供給手段４Ａに並列接続されている複数の照明手段３Ａ，…の全て又は一部の照明手段３Ａ，…を前記第２電源供給手段４Ｂにも並列接続しておき、該並列接続された照明手段３Ａ，…には前記第１電源供給手段４Ａだけでなく前記第２電源供給手段４Ｂからも駆動電圧を供給し得るように構成しておく。また、該照明手段３Ａ，…と該第２電源供給手段４Ｂとの間には前記第２スイッチング手段９Ｂを介装しておいて、前記照明条件抽出手段８により抽出した照明条件に従ったパルス幅を持つ駆動電圧を前記各照明手段３Ａ，…に順番に供給し得るように構成しておく。その場合、各照明手段３Ａ，…には前記第１電源供給手段４Ａ及び前記第２電源供給手段４Ｂの双方から前記第１スイッチング手段９Ａ及び前記第２スイッチング手段９Ｂを介して駆動電圧を供給できる状態にあるが、その駆動電圧の供給を制御するためにスイッチング制御手段１０を設けておく。すなわち、該スイッチング制御手段１０が前記第１スイッチング手段９Ａ及び前記第２スイッチング手段９Ｂに信号を送ることにより、前記第１スイッチング手段９Ａを介して供給される駆動電圧と前記第２スイッチング手段９Ｂを介して供給される駆動電圧のいずれの駆動電圧をどのような順番で前記各照明手段３Ａ，…に供給するかを制御するようにすると良い。そして、その制御は、前記照明条件抽出手段８から取得した各植物Ｐ１，…に関する照明条件に基づいて、前記第１電源供給手段４Ａ及び前記第２電源供給手段４Ｂの稼働率が高くなるように行えば良い。これにより、該第１電源供給手段４Ａと該第２電源供給手段４Ｂの両方に接続されている照明手段３Ａ，…は、該第１電源供給手段４Ａから供給される駆動電圧、又は該第２電源供給手段４Ｂから供給される駆動電圧のいずれかによって駆動されることとなり、しかも、各電源供給手段４Ａ，４Ｂの稼働率は高く維持されることとなる。
【００２８】
ところで、上述の品種情報入力手段７は、各照明手段３Ａ，…が光を照射している（又は、照射しようとしている）植物の品種についての情報を入力できるものであれば、どのようなものでも良く、例えば、
・  各照明手段３Ａ，…や前記定植パネル２や前記栽培棚５などに取り付けられているスイッチやボタン等の操作手段（例えば、植物の品種が文字や絵によって描かれているスイッチやボタン等であって、オペレータが手動で操作することにより品種についての情報を入力できるようにしたもの）や、
・  植物の品種についての情報を担持している品種情報担持手段（具体的には、品種情報を識別するためにＩＣチップやＱＲコード（登録商標）やバーコードや数字や文字や色や画像などを有する手段であって、各照明手段３Ａ，…や前記定植パネル２や前記栽培棚５などに取り付けられたもの）と、該品種情報担持手段から品種についての情報を取得する品種情報読取手段（例えば、ＩＣチップリーダーやバーコードリーダーやＱＲコードリーダーやカメラなど）、
などを挙げることができる。
【００２９】
さらに、前記第１及び第２スイッチング手段９Ａ，９Ｂには、リレースイッチやマイコン制御スイッチや半導体スイッチを用いると良い。またさらに、電源供給手段やスイッチング手段を３つ以上設けるようにしても良い。
【００３０】
今、明暗周期が同じ４００μｓｅｃで、明期の長さが１００μｓｅｃ、２００μｓｅｃ、２５０μｓｅｃと異なる３種類の植物Ａ，Ｂ，Ｃを例に挙げて駆動電圧の印加方法を説明する。
【００３１】
例えば、明期の長さが２００μｓｅｃである植物Ｂだけに光を照射する場合であれば、１つの電源供給手段４Ａから２つの照明手段３Ａ，３Ｂに図５に例示するように駆動電圧を供給すれば良い。その場合は、電源供給手段４Ａは常にいずれかの照明手段３Ａ，３Ｂに駆動電圧を供給することとなり、該電源供給手段４Ａの稼働率は１００％となる。また、明期の長さが１００μｓｅｃの植物Ａと２００μｓｅｃの植物Ｂとに光を照射する場合であれば、１つの電源供給手段４Ａから３つの照明手段３Ａ，３Ｂ，３Ｃに図６に例示するように駆動電圧を供給すれば良い。その場合も、電源供給手段４Ａは常にいずれかの照明手段３Ａ，３Ｂ，３Ｃに駆動電圧を供給することとなり、該電源供給手段４Ａの稼働率は１００％となる。さらに、明期の長さが１００μｓｅｃの植物Ａと２５０μｓｅｃの植物Ｃとに光を照射する場合であれば、１つの電源供給手段４Ａから２つの照明手段３Ａ，３Ｂに図７に例示するように駆動電圧を供給すれば良い。その場合は、電源供給手段４Ａは１サイクル期間である４００μｓｅｃの内の３５０μｓｅｃだけ照明手段３Ａ，３Ｂに駆動電圧を供給することとなり、該電源供給手段４Ａの稼働率は８７．５％となる。またさらに、図８に例示するように駆動電圧を供給しても良い。すなわち、第１電源供給手段４Ａからは植物Ａと植物Ｃと植物Ｂの順に駆動電圧を順次供給する。この場合、植物Ｂに光を照射する照明手段３Ｃには５０μｓｅｃしか駆動電圧を供給できないので、もう一つの電源供給手段４Ｂから１５０μｓｅｃだけ照明手段３Ｃに駆動電圧を供給するようにする。これにより、該照明手段３Ｃには合計で２００μｓｅｃの期間だけ駆動電圧が供給されることとなり、明期が２００μｓｅｃである植物Ｂに光を照射することができる。
【符号の説明】
【００３２】
１                        植物栽培装置
２                        定植パネル
３Ａ，…                  照明手段
４Ａ                      第１電源供給手段
４Ｂ                      第２電源供給手段
６                        照明条件記憶手段
７                        品種情報入力手段
８                        照明条件抽出手段
９Ａ                      第１スイッチング手段
９Ｂ                      第２スイッチング手段
１０                      スイッチング制御手段
Ｖ１２３                  駆動電圧
Ｐ１，…，Ｐ２，…，Ｐ３，…      植物
【図１】
2017148010.tif 000003
【図２】
2017148010.tif 000004
【図３】
2017148010.tif 000005
【図４】
2017148010.tif 000006
【図５】
2017148010.tif 000007
【図６】
2017148010.tif 000008
【図７】
2017148010.tif 000009
【図８】
2017148010.tif 000010